(57)【要約】【課題】各フラップ部の折り込み作業性を一層向上させた包装箱を提供する。【解決手段】一対の第１側板１１と一対の第２側板１２とで四角筒状の胴部１３を形成し、胴部１３を閉塞する第１フラップ部１７と第２フラップ部１８とを互いに隣接する側縁同士で一体に連結し、第２フラップ部１８に、一対の傾斜折込線２０と、両傾斜折込線２０の間から上方に延びる舌片１９とを設ける。両傾斜折込線２０により第２フラップ部１８を折込つつ第１フラップ部と共に折り倒して胴部を閉塞する。【選択図】図３
2014213922.tif 000002
【特許請求の範囲】
【請求項１】
互いに対向する一対の第１側板と、両第１側板の対向方向に直交する方向に互いに対向する一対の第２側板とで四角筒状の胴部が形成され、
前記第１側板の上縁から上方に延びる第１フラップ部と前記第２側板の上縁から上方に延びる第２フラップ部との互いに隣接する側縁同士が一体に連結されており、
前記第２フラップ部は、前記第２側板との境界に沿った下縁の両隅角部を始端として当該下縁に対して４５°の角度をもって互いに交わる方向に延びる一対の傾斜折込線を備え、
前記第２フラップ部を、前記第２側板との境界に形成した折り目線に沿って前記胴部上に折り倒すことにより、該第２フラップ部が、前記第１フラップ部との境界に形成した折り目線と前記傾斜折込線とに沿って前記第１フラップ部の内面側に重合するように折り込まれると同時に、前記第１フラップ部が、前記第１側板との境界に形成した折り目線に沿って前記胴部上に折り倒され、両第１フラップ部の上縁同士が当接して前記胴部の上面が閉塞される包装箱において、
前記第２フラップ部は、両傾斜折込線の間の位置を基端として上方に延びる舌片を備え、
両傾斜折込線は、該舌片の外側に終端が位置することを特徴とする包装箱。
【請求項２】
前記舌片は、前記第２フラップ部の上縁から下方に延びる一対の切込みによって両切込み間に形成され、
両切込みの下端は、夫々前記傾斜折込線の終端に接続されていることを特徴とする請求項１記載の包装箱。
【発明の詳細な説明】
【技術分野】
【０００１】
本発明は、包装箱に関する。
【背景技術】
【０００２】
この種の包装箱として、互いに対向する一対の第１側板と、両第１側板の対向方向に直交する方向に互いに対向する一対の第２側板とで四角筒状の胴部が形成され、前記第１側板の上縁から上方に延びる第１フラップ部と前記第２側板の上縁から上方に延びる第２フラップ部との互いに隣接する側縁同士が一体に連結され、前記第２フラップ部は、前記第２側板との境界に沿った下縁の両隅角部を始端として当該下縁に対して４５°の角度をもって互いに交わる方向に延びる一対の傾斜折込線を備えるものが知られている。
【０００３】
この構成による包装箱は、前記第２フラップ部を、前記第２側板との境界に形成した折り目線に沿って前記胴部上に折り倒すことにより、該第２フラップ部が、前記第１フラップ部との境界に形成した折り目線と前記傾斜折込線とに沿って前記第１フラップ部の内面側に重合するように折り込まれると共に、前記第１フラップ部が、前記第１側板との境界に形成した折り目線に沿って前記胴部上に折り倒され、両第１フラップ部の上縁同士が当接して前記胴部の上面が閉塞される。
【０００４】
このように、第２フラップ部を折り倒すといった一挙動で胴部を閉塞することができるので、迅速な包装作業が可能となっている。
【０００５】
しかし、この構成では、第２フラップ部を折り倒す際には、第２フラップ部の両側に位置する折り目線と傾斜折込線との両方を同時に折り曲げる必要があり、胴部を閉塞した状態での第１フラップ部と第２フラップ部との重なり部分の一部が３枚重ねとなる。このため、例えば、弾性復元力が比較的大きな段ボール板紙を材料としてこの包装箱を形成した場合には、第２フラップ部の折り込み作業において３枚重ねとなる部分の復元力に対抗するような比較的強い力が必要となる。
【０００６】
そこで、上記の復元力を低減させるべく第２フラップ部の前記傾斜折込線の一部が形成されるべき先端中央部分を切り欠いて第２フラップ部の前記傾斜折込線の長さを短縮させ、これによって、第２フラップ部の折り込み作業性を向上させるようにした包装箱が提案されている（下記特許文献１参照）。
【先行技術文献】
【特許文献】
【０００７】
【特許文献１】実用新案登録第３１３９５６７号公報
【発明の概要】
【発明が解決しようとする課題】
【０００８】
しかし、上記従来の包装箱は、第２フラップ部の先端中央部分を比較的大きく切り欠いているために、第２フラップ部の折り込み作業時に第２フラップ部を押圧する部分の面積が狭いだけでなく、第２フラップ部に対して押圧力を付与する部分が第２側板との境界の折り目線に近接した位置となるため、大きな押圧力が必要となる不都合がある。
【０００９】
上記の点に鑑み、本発明は、各フラップ部の折り込み作業性を一層向上させた包装箱を提供することを目的とする。
【課題を解決するための手段】
【００１０】
かかる目的を達成するために、本発明は、互いに対向する一対の第１側板と、両第１側板の対向方向に直交する方向に互いに対向する一対の第２側板とで四角筒状の胴部が形成され、前記第１側板の上縁から上方に延びる第１フラップ部と前記第２側板の上縁から上方に延びる第２フラップ部との互いに隣接する側縁同士が一体に連結され、前記第２フラップ部は、前記第２側板との境界に沿った下縁の両隅角部を始端として当該下縁に対して４５°の角度をもって互いに交わる方向に延びる一対の傾斜折込線を備え、前記第２フラップ部を、前記第２側板との境界に形成した折り目線に沿って前記胴部上に折り倒すことにより、該第２フラップ部が、前記第１フラップ部との境界に形成した折り目線と前記傾斜折込線とに沿って前記第１フラップ部の内面側に重合するように折り込まれると同時に、前記第１フラップ部が、前記第１側板との境界に形成した折り目線に沿って前記胴部上に折り倒され、両第１フラップ部の上縁同士が当接して前記胴部の上面が閉塞される包装箱において、前記第２フラップ部は、両傾斜折込線の間の位置を基端として上方に延びる舌片を備え、両傾斜折込線は、該舌片の外側に終端が位置することを特徴とする。
【００１１】
本発明によれば、第２フラップ部が前記舌片を備えることにより、第２フラップ部の折り込み作業時に前記舌片を押圧することができる。このため、第２フラップ部と第２側板との境界の折り目線から比較的遠く離れた位置を押圧して比較的小さな力で第２フラップ部の折り込み作業を行うことができる。
【００１２】
また、本発明の包装箱において、前記舌片は、前記第２フラップ部の上縁から下方に延びる一対の切込みによって両切込み間に形成され、両切込みの下端は、夫々前記傾斜折込線の終端に接続されていることが好ましい。
【００１３】
これによれば、第２フラップ部に一対の切込みを設けるだけで前記舌片が形成されるので、包装箱を容易に製造することができると共に、例えば、段ボール板紙を材料として展開状態の包装箱を打ち抜き製造する場合に、従来のように第２フラップ部に大きな切欠きを形成するものに比べて切り屑の発生を少なくすることができる。
【図面の簡単な説明】
【００１４】
【図１】本発明の実施形態における包装箱の外観を示す斜視図。
【図２】図１の包装箱の展開図。
【図３】図１の包装箱の組立作業を示す説明図。
【図４】内フラップ部の舌片の変形例を示す図。
【発明を実施するための形態】
【００１５】
本発明の実施形態を図面に基づいて説明する。本実施形態の包装箱１は、図１に示すように、前後方向に互に対向する一対の第１側板１１と、左右方向に互に対向する一対の第２側板１２とで四角筒状に形成された胴部１３を備えている。胴部１３の内部には図示しない被包装物が収容される。胴部１３はその上面が上蓋１４により閉塞され、下面が下蓋１５により閉塞される。図１に示した包装箱１は、図２に示す形状の展開状態に打ち抜かれた大略矩形状の段ボール板紙から組み立てられる。
【００１６】
図２に示すように、展開状態における包装箱１は、第１側板１１と第２側板１２とが第４折目線２５を介して交互に連設されている。第１側板１１は第２側板１２よりも横長の長方形状に形成されている。更に一方の第１側板１１（図２においては左端に位置する第１側板１１）の側縁には接着片２１が連設されている。
【００１７】
第１側板１１の上縁には外フラップ部１７（第１フラップ部）が、第２側板１２の上縁には内フラップ部１８（第２フラップ部）が、夫々第１折目線２２を介して連結されている。そして、交互に配設された外フラップ部１７と内フラップ部１８とは、その隣接する側縁同士が、夫々第２折目線１６を介して一体に連結されている。更に、前記接着片２１が一方の外フラップ部１７の側縁に沿って延びて、一体に連結されている。
【００１８】
同じように、第１側板１１の下縁及び第２側板１２の下縁には、第２折目線１６を介して一体に連結された外フラップ部１７（第１フラップ部）と内フラップ部１８（第２フラップ部）とが第１折目線２２を介して連結されている。
【００１９】
なお、外フラップ部１７の上下方向の長さ寸法は、第２側板１２の横方向の長さ寸法の１／２に設定されている。
【００２０】
第１側板１１の上縁及び第２側板１２の上縁に連結されている外フラップ部１７及び内フラップ部１８は上蓋１４を構成するものであり、第１側板１１の下縁及び第２側板１２の下縁に連結されている外フラップ部１７及び内フラップ部１８は下蓋１５を構成するものである。下蓋１５は上蓋１４と同様の構成であるため、下蓋１５の構成に関する説明は省略する。
【００２１】
内フラップ部１８には、矩形状の舌片１９が設けられている。更に、内フラップ部１８には、その先端側で互いに交わる方向に傾斜して延びる一対の第３折目線２０（傾斜折込線）が形成されている。
【００２２】
舌片１９は、内フラップ部１８の先端縁から下方に延びる一対の第１切込み２３によってその間に形成されている。なお、第１切込み２３は本発明における切込みに相当する。
【００２３】
第３折目線２０は、第２側板１２の上縁（第１折目線２２）に対して４５°の角度で傾斜し、一端（始端）が内フラップ部１８の下縁の両隅角部（第２側板１２の上縁の両端）に位置し、他端（終端）が舌片１９の基端の外側に位置する第１切込み２３の下端に接続されている。
【００２４】
また、外フラップ部１７と内フラップ部１８との境界には、その上端から下方に延びる第２切込み２４が形成されており、第２切込み２４の下端は第２折目線１６に接続されている。
【００２５】
以上のように構成された包装箱１の組み立て作業の一部を説明する。包装箱１は、先ず、図２に示す展開状態から、第４折目線２５に沿って第１側板１１と第２側板１２とを折り曲げ、接着片２１をその反対側の第２側板１２に接着することにより両端部の第１側板１１と第２側板１２とを連結し、四角筒状の胴部１３を形成する。このとき更に、接着片２１により両端部の外フラップ部１７と内フラップ部１８とを連結する。こうして、図３（ａ）に示すように、胴部１３から各フラップ部１７，１８に連続する四角筒状とする。
【００２６】
次いで、図３（ｂ）に示すように、内フラップ部１８を第２側板１２の上縁の第１折目線２２に沿って内側方向に折り倒す。この作業は、舌片１９を押圧することにより行うことができる。
【００２７】
そして、舌片１９を押圧して内フラップ部１８を折り倒すと、内フラップ部１８に設けた第３折目線２０が折れ曲がりつつ、外フラップ部１７との境界の第２折目線１６が折れ曲がり、内フラップ部１８に連結されている外フラップ部１７が、これに追従して第１側板１１の上縁の第１折目線２２に沿って内側方向に折り倒される。
【００２８】
このように、内フラップ部１８に付与した押圧力のみで、内フラップ部１８だけでなく外フラップ部１７も折り倒されるが、このときには、第１折目線２２、第２折目線１６、及び第３折目線２０を同時に折り曲げることになる。本実施形態の包装箱１は段ボール板紙により形成されているため、各折目線２２，１６，２０を折り曲げる際には復元弾性に伴う反発力が大きい。
【００２９】
しかしこのとき、舌片１９を押圧することにより、第１折目線２２から比較的遠く離れた位置に押圧力を付与することができる。よって、第１折目線２２の近傍に位置する面を押圧する場合に比べて、比較的小さな力で第１折目線２２に沿った内フラップ部１８の折り曲げ作業を行うことができる。
【００３０】
また、舌片１９を形成したことにより、第３折目線２０が短くなっており、第３折目線２０で生じる復元弾性が低減できる。更に、第２折目線１６も第２切込み２４によりその長さが短くなっており、第２折目線１６で生じる復元弾性も低減できる。
【００３１】
こうして、内フラップ部１８は外フラップ部１７の内面側に重合するように折り込まれ、図１に示すように、外フラップ部１７の先端縁（上縁）同士が互いに当接して胴部１３を閉塞する上蓋１４が形成される。以上の組立作業は上蓋１４と下蓋１５とで同様に行われる。
【００３２】
上蓋１４と下蓋１５とを胴部１３の内方から見ると、図３（ｃ）に示す形状となる。図３（ｃ）は、上蓋１４と下蓋１５との何れか一方を示すが両者は同一である。
【００３３】
図３（ｃ）に示すように、内フラップ部１８は、舌片１９が外フラップ部１７の先端縁（上縁）同士の当接部分を比較的長い距離にわたって覆う。これによれば、両外フラップ部１７の当接位置における隙間形成が軽減される。また、下蓋１５においては、内フラップ部１８と外フラップ部１７とが、図示しない被包装物を載置する底面を形成する。内フラップ部１８は、第３折目線２０による折り返し形状により、外フラップ部１７の内面を覆う面積が小さくなるが、このように小さくなった面積を、舌片１９によって拡大して補うことができるので、被包装物を安定させて載置することができる。
【００３４】
そして更に、上記構成の包装箱１は、材料となる段ボール板紙を図２に示す形状に打ち抜いたとき、一対の第１切込み２３を設けるだけで舌片１９を形成することができ、製造容易であるだけでなく、打ち抜き時の切り屑の発生も抑制することができる。
【００３５】
なお、本実施形態の包装箱１は、段ボール板紙を材料とするのが好ましいが、段ボール以外の厚手の板紙でも形成できる。
【００３６】
また、本実施形態の内フラップ部１８においては、図２に示すように、矩形状の舌片１９を一対の第１切込み２３を設けることによって形成し、第３折目線２０（傾斜折込線）の上端（終端）を第１切込み２３の下端に接続したものを示したが、これ以外に、同様の効果が得られる内フラップ部１８として、図４（ａ）〜図４（ｃ）に示す変形例が挙げられる。
【００３７】
即ち、図４（ａ）に示すように、第３折目線２０（傾斜折込線）の延長線に沿って第１切込み２３を設けて舌片１９を三角形状に形成してもよい。これによると、舌片１９の大きさは比較的小さくなって内フラップ部１８を折り倒すときの押圧部分も狭くなるが、上述の実施形態と同様に、第１折目線２２から比較的遠く離れた位置に押圧力を付与することができる。
【００３８】
また、図４（ｂ）に示すように、第３折目線２０（傾斜折込線）を第１切込み２３の途中位置に接続し、舌片１９の面積を大きくしてもよい。これによれば、内フラップ部１８を折り倒すときの押圧部分が十分に広くなるので、内フラップ部１８の折り曲げ作業が容易となる。
【００３９】
更に、図４（ｂ）に示すように、一対の切欠き２３ａを形成することによって、高さ方向の寸法を短くした内フラップ部１８において、一対の第３折目線２０（傾斜折込線）の上端（終端）の間から上方に延びる舌片１９を形成してもよい。これによっても、、内フラップ部１８の折り曲げ作業においては上述の実施形態と同等の効果を得ることができる。
【符号の説明】
【００４０】
１…包装箱、１１…第１側板、１２…第２側板、１３…胴部、１７…外フラップ部（第１フラップ部）、１８…内フラップ部（第２フラップ部）、１９…舌片、２０…第３折目線（傾斜折込線）、２３…第１切込み（切込み）。
【図１】
2014213922.tif 000003
【図２】
2014213922.tif 000004
【図３】
2014213922.tif 000005
【図４】
2014213922.tif 000006